(57)【特許請求の範囲】
【請求項１】
折り襟を有し、左右の襟元の一方に取り付けた第１ボタンを他方の襟元に形成した第１ボタン穴に留めて左右の襟元を閉じるシャツ類を、第１ボタンを第１ボタン穴から外し、左右の襟元を開いて着用するとき襟元の乱れを防止する襟元形状保持具であって、
ヒンジで左右に開閉可能に連結した左右一対の襟元挿入片を備え、
少なくとも一方の襟元挿入片に前記第１ボタン又は第１ボタン穴に掛止する掛止部を設け、
一方の襟元挿入片を一方の襟元から折り襟の内側に挿入し、他方の襟元挿入片を他方の襟元から折り襟の内側に挿入し、掛止部を第１ボタン又は第１ボタン穴に掛止して襟元に装着したとき各襟元挿入片の上端が折り襟の折れ目に当接するように構成し、
かつ、襟元への装着により着用者の喉元近辺に着用者の正面の上方から見て両襟元挿入片を斜辺とする三角形状の空間を形成するように構成したことを特徴とする襟元形状保持具。
【請求項２】
折り襟を有し、左右の襟元の一方に取り付けた第１ボタンを他方の襟元に形成した第１ボタン穴に留めて左右の襟元を閉じるシャツ類を、第１ボタンを第１ボタン穴から外し、左右の襟元を開いて着用するとき襟元の乱れを防止する襟元形状保持具であって、
左右一対の襟元挿入片と、
掛止用ボタン穴が形成されるとともに、両襟元挿入片がそれぞれを斜辺とする三角形を形成するように両襟元挿入片を連結する帯片を備え、
一方の襟元挿入片を一方の襟元から折り襟の内側に挿入し、他方の襟元挿入片を他方の襟元から折り襟の内側に挿入し、掛止用ボタン穴に第１ボタンの下方に取り付けた下位ボタンを留めて襟元に装着したとき、各襟元挿入片の上端が折り襟の折れ目に当接するように構成し、
かつ、襟元への装着により着用者の喉元近辺に着用者の正面の上方から見て両襟元挿入片を斜辺とする三角形状の空間を形成するように構成したことを特徴とする襟元形状保持具。
【請求項３】
折り襟を有し、左右の襟元の一方に取り付けた第１ボタンを他方の襟元に形成した第１ボタン穴に留めて左右の襟元を閉じるシャツ類を、第１ボタンを第１ボタン穴から外し、左右の襟元を開いて着用するとき襟元の乱れを防止する襟元形状保持具であって、
左右一対の襟元挿入片と、
両襟元挿入片がそれぞれを斜辺とする三角形を形成するように両襟元挿入片を連結する帯片を備え、
少なくとも一方の襟元挿入片に前記第１ボタン又は第１ボタン穴に掛止する掛止部を設け、
一方の襟元挿入片を一方の襟元から折り襟の内側に挿入し、他方の襟元挿入片を他方の襟元から折り襟の内側に挿入し、掛止部を第１ボタン又は第１ボタン穴に掛止して襟元に装着したとき、各襟元挿入片の上端が折り襟の折れ目に当接するように構成し、
かつ、襟元への装着により着用者の喉元近辺に着用者の正面の上方から見て両襟元挿入片を斜辺とする三角形状の空間を形成するように構成したことを特徴とする襟元形状保持具。
【発明の詳細な説明】
【技術分野】
【０００１】
本発明は襟元形状保持具に関し、より詳しくは折り襟を有し、左右の襟元の一方に取り付けた第１ボタンを他方の襟元に形成した第１ボタン穴に留めて左右の襟元を閉じるシャツ類を、第１ボタンを第１ボタン穴から外し、左右の襟元を開いて着用するとき襟元の乱れを防止する襟元形状保持具する。
【背景技術】
【０００２】
図１０に示すように、折り襟１０１を有するワイシャツ１００の第１ボタン１０２を第１ボタン穴１０３から外し、左右の襟元１０４，１０５を開いて着用したとき襟元１０４，１０５の開き具合の乱れや折り襟の折れ具合に乱れが生じ易く、見栄えが悪くなる。
このような乱れを防止するための襟元形状保持具の一形式として、特開２００２−３６３８０１号公報には、弾性を有する金属又は合成樹脂材料から成り両端を開放し、両端に延伸部を形成したリング状の襟元形状保持具が開示されている。
このリング状襟元形状保持具はシャツの折り襟の内部に挿入し、開放部が喉元に来るように装着して使用する。
このようなにリング状襟元形状保持具をシャツに装着することにより、シャツの襟元を開いて着用したとき延伸部で襟元を所定高さに維持し、これにより、襟元の乱れを防止している。
【０００３】
また、特開２００７−７３４９号公報には、一端に第１ボタンに掛止する留めピンを取り付け、他端に第１ボタン穴に挿入して挟み着ける挟着片を取り付け、表面に装飾を施した留め金具状の襟元形状保持具が開示されている。
この留め金具状襟元形状保持具は開いた襟元の第１ボタンと第１ボタン穴の間に装着して、開いた襟元の乱れを防止する。
【先行技術文献】
【特許文献】
【０００４】
【特許文献１】特開２００２−３６３８０１
【特許文献２】特開２００７−７３４９
【発明の概要】
【発明が解決しようとする課題】
【０００５】
上記したリング状襟元形状保持具は首に巻回するようにして装着するので、シャツ着用時に首筋に違和感を与える。また、両端が開放されているので、シャツ着用中にずれるおそれがあり、ずれると開いた襟元から一端が露出して襟元の見栄えが損なわれるだけでなく、襟元の乱れを確実に防止することはできない。
【０００６】
留め金具状の襟元形状保持具は第１ボタンと第１ボタン穴間を連結するので、襟元の開き具合の乱れを防止できるものの、襟元の折れ具合の乱れを防止することはできない。
【０００７】
本発明は上記問題点に鑑み、開いた襟元の見栄えを損なうことなく、襟元の乱れ、なかんずく襟元の折れ具合の乱れを防止できる襟元形状保持具を提供することを目的とする。
【課題を解決するための手段】
【０００８】
請求項１に記載の発明は、折り襟を有し、左右の襟元の一方に取り付けた第１ボタンを他方の襟元に形成した第１ボタン穴に留めて左右の襟元を閉じるシャツ類を、第１ボタンを第１ボタン穴から外し、左右の襟元を開いて着用するとき襟元の乱れを防止する襟元形状保持具であって、
ヒンジで左右に開閉可能に連結した左右一対の襟元挿入片を備え、
少なくとも一方の襟元挿入片に前記第１ボタン又は第１ボタン穴に掛止する掛止部を設け、
一方の襟元挿入片を一方の襟元から折り襟の内側に挿入し、他方の襟元挿入片を他方の襟元から折り襟の内側に挿入し、掛止部を第１ボタン又は第１ボタン穴に掛止して襟元に装着したとき各襟元挿入片の上端が折り襟の折れ目に当接するように構成し、
かつ、襟元への装着により着用者の喉元近辺に着用者の正面の上方から見て両襟元挿入片を斜辺とする三角形状の空間を形成するように構成したことを特徴とする。
【０００９】
請求項２に記載の発明は、折り襟を有し、左右の襟元の一方に取り付けた第１ボタンを他方の襟元に形成した第１ボタン穴に留めて左右の襟元を閉じるシャツ類を、第１ボタンを第１ボタン穴から外し、左右の襟元を開いて着用するとき襟元の乱れを防止する襟元形状保持具であって、
左右一対の襟元挿入片と、
掛止用ボタン穴が形成されるとともに、両襟元挿入片がそれぞれを斜辺とする三角形を形成するように両襟元挿入片を連結する帯片を備え、
一方の襟元挿入片を一方の襟元から折り襟の内側に挿入し、他方の襟元挿入片を他方の襟元から折り襟の内側に挿入し、掛止用ボタン穴に第１ボタンの下方に取り付けた下位ボタンを留めて襟元に装着したとき、各襟元挿入片の上端が折り襟の折れ目に当接するように構成し、
かつ、襟元への装着により着用者の喉元近辺に着用者の正面の上方から見て両襟元挿入片を斜辺とする三角形状の空間を形成するように構成したことを特徴とする。
【００１０】
請求項３に記載の発明は、折り襟を有し、左右の襟元の一方に取り付けた第１ボタンを他方の襟元に形成した第１ボタン穴に留めて左右の襟元を閉じるシャツ類を、第１ボタンを第１ボタン穴から外し、左右の襟元を開いて着用するとき襟元の乱れを防止する襟元形状保持具であって、
左右一対の襟元挿入片と、
両襟元挿入片がそれぞれを斜辺とする三角形を形成するように両襟元挿入片を連結する帯片を備え、
少なくとも一方の襟元挿入片に前記第１ボタン又は第１ボタン穴に掛止する掛止部を設け、
一方の襟元挿入片を一方の襟元から折り襟の内側に挿入し、他方の襟元挿入片を他方の襟元から折り襟の内側に挿入し、掛止部を第１ボタン又は第１ボタン穴に掛止して襟元に装着したとき、各襟元挿入片の上端が折り襟の折れ目に当接するように構成し、
かつ、襟元への装着により着用者の喉元近辺に着用者の正面の上方から見て両襟元挿入片を斜辺とする三角形状の空間を形成するように構成したことを特徴とする。
【発明の効果】
【００１１】
請求項１、請求項２及び請求項３に記載の発明に係る襟元形状保持具によれば、装着により左右の襟元が襟元挿入片を介して連結されるとともに、喉元近辺に三角形状の空間が形成されるので、開いた襟元の開き具合の乱れを防止できる。
【００１２】
襟元挿入片が折り襟の折り目に当接するので、襟元の折れ具合の乱れを防止できる。また、喉元近辺に三角形状の空間により喉元が開放され快適な着用感を得ることができる。
【図面の簡単な説明】
【００１３】
【図１】本発明の第１実施例に係る襟元形状保持具と、同保持具を装着したワイシャツを示す説明図である。
【図２】同襟元形状保持具を示す斜視図である。
【図３】同襟元形状保持具を示す斜視図である。
【図４】同襟元形状保持具と同保持具を装着したワイシャツを示す断面図である。
【図５】本発明の第２実施例に係る襟元形状保持具と、同保持具を装着したワイシャツを示す説明図である。
【図６】本発明の第３実施例に係る襟元形状保持具と、同保持具を装着したワイシャツを示す説明図である。
【図７】同襟元形状保持具の展開図である。
【図８】本発明の第４実施例に係る襟元形状保持具と、同保持具を装着したワイシャツを示す説明図である。
【図９】同襟元形状保持具の帯片の展開図である。
【図１０】ワイシャツの開いた襟元を示す説明図である。
【実施例】
【００１４】
以下に本発明を図面に基づき説明するに、図１〜図４には本発明の第１実施例に係る襟元形状保持具１０が示されている。当該襟元形状保持具１０は、左右一対の襟元挿入片１１，１２と左右一対のブラケット１３，１４及びヒンジ１５を備えている。
【００１５】
各襟元挿入片１１，１２はシリコンゴム等の軟質プラスチック成型品が用いられ、略舌片形状に形成されている。一方の襟元挿入片１１にはワイシャツ１００の第１ボタン１０２が掛止できるボタン穴１１ａが形成されている。他方の襟元挿入片１２にはワイシャツ１００の第１ボタン穴１０３に掛止できるボタン状突起１２ａが形成されている。
【００１６】
各ブラケット１３，１４は黄銅板製で、上下両端を折り曲げて嵌合溝１３ａ，１４ａが形成され、先端側に切欠１３ｂ，１４ｂが形成されている。襟元挿入片１１，１２は基端部をブラケット１３，１４の嵌合溝１３ａ，１４ａに嵌合してブラケット１３，１４に固着されている。ブラケット１３，１４に固着された襟元挿入片１１，１２のボタン穴１１ａ及びボタン状突起１２ａはそれぞれ、切欠部１３ｂ，１４ｂから露出している。
【００１７】
図３に詳細を示すように、ヒンジ１５は一対のＵ字形ワイヤ部材１６，１７とヒンジピン１８を備え、一方のＵ字形ワイヤ部材１６に上下一対のヒンジカラー１６ａが蝋付けにより固着され、他方のＵ字形ワイヤ部材１７に一個のヒンジカラー１７ａが蝋付けにより固着されている。また、一方のＵ字形ワイヤ部材１６の先端部が一方のブラケット１３に蝋付けされ、他方のＵ字形ワイヤ部材１７が他方のブラケット１４に蝋付けされている。両ワイヤ部材１６，１７、ヒンジカラー１６ａ，１７ａ及びヒンジピン１８はいずれも材質に黄銅が用いられている。両ワイヤ部材１６，１７は上下一対のヒンジカラー１６ａとヒンジカラー１７ａを上下に整列させ、ヒンジピン１８をヒンジカラー１６ａ，１７ａに挿入することにより、回動可能に連結されている。そして、左右一対の襟元挿入片１１，１２がヒンジ１５によって左右に開閉可能に連結されている。
【００１８】
第１実施例に係る襟元形状保持具１０の構成は以上の通りであって、次にその使用方法を説明する。図１に示すように、ワイシャツ１００の第１ボタン１０２を外して左右の襟元１０４，１０５を開き、左右の襟元挿入片１１，１２をそれぞれ、左右の襟元１０４，１０５に挿入し、襟元挿入片１１のボタン穴１１ａに第１ボタン１０２を掛止し、襟元挿入片１２のボタン状突起１２ａを第１ボタン穴１０３に掛止して、襟元形状保持具１０を開いた襟元１０４，１０５に装着する。襟元形状保持具１０は装着したとき、各襟元挿入片１１，１２の上端が折り襟１０１の折り目１０１ａに当接するように、各部材とりわけ襟元挿入片１１，１２の幅やボタン穴１１ａとボタン状突起１２ａ及びヒンジ１５の間隔、配置が設定されている。また、図４に示すように襟元形状保持具１０を開いた襟元１０４，１０５に装着したとき、襟元挿入片１１，１２を斜辺とする略三角形状の空間Ｓが喉元に区画形成されるように各部材の寸法、とりわけヒンジピン１８と襟元挿入片１１，１２のボタン穴１１ａ及びボタン状突起１２ａの配置が設定されている。
【００１９】
第１実施例に係る襟元形状保持具１０によれば、開いた襟元１０４，１０５に装着することで、左右の襟元１０４，１０５が襟元挿入片１１，１２を介して連結され、かつ喉元近辺に三角形状の空間Ｓが形成されるので、開いた襟元１０４，１０５の開き具合の乱れを防止できる。また、襟元挿入片１１，１２の上端が折り襟１０１の折り目１０１ａに当接するので、外襟１０１ｂと内襟１０１ｃが襟元挿入片１１，１２に沿うことになり、これにより襟元１０４，１０５の折れ具合の乱れを防止できる。さらにまた、喉元近辺の三角形状の空間Ｓにより喉元が開放され、ヒンジ１５やブラケット１３，１４が喉元に接触しないので、快適な着用感を得ることができる。
【００２０】
本発明の第２実施例に係る襟元形状保持具を図５に示す。当該襟元形状保持具２０は可撓性を有するプラスチックシート材からなり、左右一対の襟元挿入片２１，２２と両襟元挿入片２１，２２を連結する帯片２３を備え、一対の襟元挿入片２１，２２と帯片２３は一体成型されている。帯片２３は両襟元挿入片２１，２２がそれぞれを斜辺とする略三角形状を形成するように両襟元挿入片２１，２２の基端部同士を断面略Ｕ字形の連結部を介して連結し、連結部２４から下方へ延びている。また、帯片２３には上下２箇所に掛止用ボタン穴２３ａ，２３ｂが形成されている。
【００２１】
第２実施例に係る襟元形状保持具２０の構成は以上の通りであって、一方の襟元挿入片２１を一方の襟元１０４から折り襟１０１の内側に挿入し、他方の襟元挿入片２２を他方の襟元１０５から折り襟１０１の内側に挿入する。そして、掛止用ボタン穴２３ａにワイシャツの第２ボタン１０６を留めて襟元１０４，１０５に装着する。掛止用ボタン穴２３ａの配置や襟元挿入片２１，２２の幅等各部の寸法は襟元１０４，１０５に装着したとき各襟元挿入片１０４，１０５の上端が折り襟１０１の折れ目に当接するように設定されている。また、襟元１０４，１０５への装着により喉元近辺に両襟元挿入片２１，２２を斜辺とする略三角形状の空間を形成するように各部の寸法や配置が設定されている。
第２実施例に係る襟元形状保持具２０によれば、第１実施例に係る襟元形状保持具１０と同様の作用、効果を奏する。
【００２２】
本発明の第３実施例に係る襟元形状保持具３０を図６に示す。当該襟元形状保持具３０は左右一対の硬質プラスチック製又は硬質布製の襟元挿入片３１，３２と、両襟元挿入片３１，３２を連結する柔軟な布製の帯片３３及び帯片３３に巻回した布製ベルト３４を備えている。
図７に展開して示すように、左右の襟元挿入片３１，３２は、への字又は逆への字の屈曲形状を有し、一方の襟元挿入片３１の屈曲部にボタン穴３１ａが形成され、他方の襟元挿入片３２にボタン３２ａが取り付けられている。
【００２３】
帯片３３には意匠が施され、その左右両端が鋭角三角形に形成されている。帯片３３の一方の三角形端部３３ａの下半部に一方の襟元挿入片３１が接着により固着され、他方の三角形端部３３ｂの下半部に他方の襟元挿入片３２が接着されている。帯片３３は中間部に長手方向に延びる折り返し線３３ｃがプレスにより形成されている。
【００２４】
本実施例に係る襟元形状保持具３０の構成は以上の通りであって、次にその使用方法を説明する。折り返し線３３ｃから帯片３３を折り重ね、帯片３３の三角形端部３３ａ，３３ｂで襟元挿入片３１，３２の基端部を覆う。帯片３３の一方の端部３３ａには折り重ねたとき襟元挿入片３１のボタン穴３１ａに整合するボタン穴が形成されている。次に、図６に示すように、折り重ねた帯片３３を二つ折りし、中間部にベルト３４を装着する。そして、一方の襟元挿入片３１を一方の襟元１０４から折り襟１０１の内側に挿入し、他方の襟元挿入片３２を他方の襟元１０５から折り襟１０１の内側に挿入し、襟元挿入片２１のボタン穴３１ａに第１ボタン１０２を掛止し、襟元挿入片３２のボタン３２ａを第１ボタン穴１０３に掛止して襟元１０４，１０５に装着する。
【００２５】
両襟元挿入片３１，３２は開いた襟元１０４，１０５に装着時、それぞれを斜辺とする略三角形成を形成するように、また各襟元挿入片３１，３２の上端が折り襟１０１の折れ目に当接するように、さらに喉元近辺に両襟元挿入片２１，３２を斜辺とする略三角形状の空間を形成するように、両襟元挿入片３１，３２の形状寸法、帯片３３への固着位置が設定されている。
第３実施例に係る襟元形状保持具３０も、第１実施例に係る襟元形状保持具１０と同様の作用、効果を奏する。
【００２６】
本発明の第４実施例に係る襟元形状保持具を図８及び図９に示す。当該襟元形状保持具４０は左右一対の硬質プラスチック製又は硬質布製の襟元挿入片４１，４２と、両襟元挿入片４１，４２を連結する柔軟な意匠布製の帯片４３を備えている。
図９に展開して示すように、左右の襟元挿入片４１，４２は、への字又は逆への字の屈曲形状を有し、一方の襟元挿入片４１の屈曲部にボタン穴４１ａが形成され、他方の襟元挿入片４２にボタン４２ａが取り付けられている。
また、帯片４３は左右一対の意匠布４３ａ，４３ｂからなり、各意匠布４３ａ，４３ｂは上下両端が鋭角三角形に形成されている。一方の意匠布４３ａの上端側の三角形端部４３ｃの左半部に一方の襟元挿入片４１が接着により固着され、他方の意匠布４３ｂの上端側の三角形端部４３ｄの右半部に他方の襟元挿入片４２が接着されている。
【００２７】
各意匠布４３ａ，４３ｂは中間部に長手方向に延びる折り返し線４３ｅ，４３ｆがプレスにより形成されている。各意匠布４３ａ，４３ｂは図９に２点鎖線で示すように、折り返し線４３ｅ，４３ｆから折り重ね、重ねた下端の三角形端部４３ｇ，４３ｈ同士をさらに重ね合わせて縫い付けることにより１本の帯片４３に成形されている。なお、一方の意匠布４３ａの上端部には折り重ねたとき襟元挿入片４１のボタン穴４１ａに整合するボタン穴が形成されている。
【００２８】
第４実施例に係る襟元形状保持具４０の構成は以上の通りであって、一方の襟元挿入片４１を一方の襟元１０４から折り襟１０１の内側に挿入し、他方の襟元挿入片４２を他方の襟元１０５から折り襟１０１の内側に挿入し、襟元挿入片４１のボタン穴４１ａに第１ボタン１０を掛止し、襟元挿入片４２のボタン４２ａを第１ボタン穴１０３に掛止して襟元１０４，１０５に装着する。
両襟元挿入片４１，４２の形状寸法、帯片４３への固着位置は第３実施例と同様に、開いた襟元１０４，０５に装着時、それぞれを斜辺とする略三角形成を形成するように、また各襟元挿入片４１，４２の上端が折り襟１０１の折れ目に当接するように、さらに喉元近辺に両襟元挿入片４１，４２を斜辺とする略三角形状の空間を形成するように設定されている。
第４実施例に係る襟元形状保持具４０も、第１実施例に係る襟元形状保持具１０と同様の作用、効果を奏する。
【符号の説明】
【００２９】
１０，２０，３０，４０…襟元形状保持具
１１，１２，２１，２２，３１，３２，４１，４２…襟元挿入片
１１ａ，２３ａ，３１ａ４１ａ…ボタン穴
１２ａ，３２ａ，４２ａ…ボタン
１５…ヒンジ
２３，３３，４３…帯片
１００…ワイシャツ
１０１…折り襟
１０４，１０５…襟元
【図１】
0005391174.tif 000002
【図２】
0005391174.tif 000003
【図３】
0005391174.tif 000004
【図４】
0005391174.tif 000005
【図５】
0005391174.tif 000006
【図６】
0005391174.tif 000007
【図７】
0005391174.tif 000008
【図８】
0005391174.tif 000009
【図９】
0005391174.tif 000010
【図１０】
0005391174.tif 000011